(57)【要約】【課題】縁材自動貼付機における縁材の交換作業を、縁材に傷を付けることなく容易に行う。【解決手段】面材の端面にテープ状の化粧材である縁材を自動貼付する縁材自動貼付機２に用いる縁材３ａ〜３ｉを交換する縁材交換装置１であって、積層状に支持され、かつ一体的に昇降可能な複数のセット台４ａ〜４ｉを備え、前記セット台４ａ〜４ｉには前記縁材３ａ〜３ｉが巻き出し可能にセットされている。【選択図】図１
2006137091.tif 000002
【特許請求の範囲】
【請求項１】
面材の端面にテープ状の化粧材である縁材を自動貼付する縁材自動貼付機に供給される縁材を交換する縁材交換機であって、
積層状に支持され、かつ一体的に昇降可能な複数のセット台を備え、
前記セット台には多重に巻回された前記縁材が巻き出し可能にセットされていることを特徴とする縁材交換装置。
【請求項２】
前記複数のセット台は、上下に長尺なシャフトによってそれぞれアームを介して支持されており、それぞれのアームは前記シャフトに旋回可能に取り付けられていることを特徴とする請求項１に記載の縁材交換装置。
【請求項３】
前記シャフトを昇降させる昇降手段と、
前記複数のセット台がそれぞれ前記縁材自動貼付機への供給高さに選択的に位置するように、前記シャフトを昇降させる昇降手段を制御する昇降制御手段とを備えることを特徴とする請求項２に記載の縁材交換装置。
【請求項４】
前記昇降手段は、前記昇降制御手段に接続されたモータと、
このモータに連結されたギヤボックスと、
このギヤボックスに連結された上下に長尺なネジと、
このネジに螺合され、かつ前記シャフトに取り付けられたナットとを備えることを特徴とする請求項３に記載の縁材交換装置。
【請求項５】
前記複数のセット台は、その下面に突出した回転軸を有しており、
前記回転軸は前記アームに回転可能に支持されていることを特徴とする請求項２〜４のいずれか一項に記載の縁材交換装置。
【発明の詳細な説明】
【技術分野】
【０００１】
本発明は、縁材自動貼付機の縁材を交換する縁材交換装置に関する。
【背景技術】
【０００２】
木製の家具等に用いられる面材の端面には、テープ状の化粧材である縁材が貼付される場合がある。この縁材を面材に自動貼付する装置として、縁材自動貼付機が知られている（特許文献１参照）。この縁材自動貼付機を使用する際は、縁材をセットテーブルへと載置し、この縁材の端部を、セットテーブルと同じ高さに位置する縁材送り出し機構へセットしている。
【特許文献１】特開２００２−２１０７１３号公報
【発明の開示】
【発明が解決しようとする課題】
【０００３】
ところで、縁材には様々な種類があり、各々の面材に対応する縁材を適宜選択して面材に貼付する必要がある。一方、縁材自動貼付機は、多重に巻回された縁材を１つしかセットすることができない。従って、縁材を交換するには、縁材自動貼付機のセットテーブルから縁材をその都度取り出すとともに、該セットテーブルに次の縁材をセットする必要があるので、縁材の交換作業に非常に手間がかかっていた。また、縁材の交換回数が多くなると、交換の際に巻回されている縁材がほどけて、縁材に傷が付くという恐れがあった。
【０００４】
本発明の課題は、縁材自動貼付機における縁材の交換作業を、縁材に傷を付けることなく容易に行うことである。
【課題を解決するための手段】
【０００５】
以上の課題を解決するため、請求項１に記載の発明は、例えば図１に示すように、面材の端面にテープ状の化粧材である縁材３ａ〜３ｉを自動貼付する縁材自動貼付機２に供給される縁材３ａ〜３ｉを交換する縁材交換機であって、
積層状に支持され、かつ一体的に昇降可能な複数のセット台４ａ〜４ｉを備え、
前記セット台４ａ〜４ｉには多重に巻回された前記縁材３ａ〜３ｉが巻き出し可能にセットされていることを特徴としている。
【０００６】
請求項１に記載の発明によれば、複数のセット台４ａ〜４ｉが積層状に支持されているため、これらを一体的に昇降させることによって、所望の縁材３ａ〜３ｉがセットされたセット台４ａ〜４ｉを所定の高さに合わせることができ、その縁材３ａ〜３ｉを縁材自動貼付機２へ供給することができる。よって、縁材自動貼付機２に用いられる縁材３ａ〜３ｉの交換作業が容易となる。また、セット台４ａ〜４ｉには縁材３ａ〜３ｉが巻き出し可能にセットされているため、縁材３ａ〜３ｉを、セット台４ａ〜４ｉにセットした状態のまま縁材自動貼付機２へと送り出すことができる。よって、複数のセット台４ａ〜４ｉにセットされた縁材３ａ〜３ｉを使用する限りは、縁材３ａ〜３ｉをセット台４ａ〜４ｉから取り替える必要がない。従って、縁材３ａ〜３ｉがほどけることはなく、縁材３ａ〜３ｉに傷が付くのを防ぐことができる。
【０００７】
請求項２に記載の発明は、例えば図１に示すように、請求項１に記載の縁材交換装置１において、前記複数のセット台４ａ〜４ｉは、上下に長尺なシャフト６によってそれぞれアーム５ａ〜５ｉを介して支持されており、それぞれのアーム５ａ〜５ｉは前記シャフト６に旋回可能に取り付けられていることを特徴としている。
【０００８】
請求項２に記載の発明によれば、複数のセット台４ａ〜４ｉは、上下に長尺なシャフト６によってそれぞれアーム５ａ〜５ｉを介して支持されており、これらのアーム５ａ〜５ｉがシャフト６に旋回可能に取り付けられているため、所定の高さに合わせたセット台４ａ〜４ｉを縁材自動貼付機側へ旋回させることができる。よって、縁材自動貼付機２に用いる縁材３ａ〜３ｉの交換作業が容易になる。また、その際に、縁材３ａ〜３ｉの使用量を確認できる上、縁材３ａ〜３ｉを使い切った際の取り替え作業が容易にできる。
【０００９】
請求項３に記載の発明は、例えば図１に示すように、請求項２に記載の縁材交換装置１において、前記シャフト６を昇降させる昇降手段１０と、
前記複数のセット台４ａ〜４ｉがそれぞれ前記縁材自動貼付機２への供給高さに選択的に位置するように、前記シャフト６を昇降させる昇降手段１０を制御する昇降制御手段（例えば、操作ボックス１２）とを備えることを特徴としている。
【００１０】
請求項３に記載の発明によれば、昇降制御手段（例えば、操作ボックス１２）が昇降手段１０に指令を出してシャフト６を昇降させることによって、複数のセット台４ａ〜４ｉを一体的に昇降させるとともに、複数のセット台４ａ〜４ｉを選択的に縁材自動貼付機の供給高さに位置させることができる。
【００１１】
請求項４に記載の発明は、例えば図１に示すように、請求項３に記載の縁材交換装置１において、前記昇降手段１０は、前記昇降制御手段（例えば、操作ボックス１２）に接続されたモータ１０ａと、
このモータ１０ａに連結されたギヤボックス１０ｂと、
このギヤボックス１０ｂに連結された上下に長尺なネジ１０ｃと、
このネジ１０ｃに螺合され、かつ前記シャフト６に取り付けられたナット（図示せず）とを備えることを特徴としている。
【００１２】
請求項４に記載の発明によれば、昇降制御手段（例えば、操作ボックス１２）に制御されたモータ１０ａが作動すると、その駆動力がギヤボックス１０ｂを介してネジ１０ｃに伝わり、ネジ１０ｃに螺合されたナット（図示せず）が昇降する。従って、ナット（図示せず）が取り付けられたシャフト６を昇降させることができ、このシャフト６に支持された複数のセット台４ａ〜４ｉを選択的に縁材自動貼付機の供給高さに位置させることができる。
【００１３】
請求項５に記載の発明は、例えば図２に示すように、請求項２〜４のいずれか一項に記載の縁材交換装置１において、前記複数のセット台４ａ〜４ｉは、その下面に突出した回転軸９を有しており、
前記回転軸は前記アーム５ａ〜５ｉに回転可能に支持されていることを特徴としている。
【００１４】
請求項５に記載の発明によれば、セット台４ａ〜４ｉが有する回転軸９は、アーム５ａ〜５ｉに対して回転可能に支持されているため、縁材３ａ〜３ｉが縁材自動貼付機２によって巻き出される際に、縁材３ａ〜３ｉとともにセット台４ａ〜４ｉも回転する。よって、縁材３ａ〜３ｉが、セット台４ａ〜４ｉとの当接面における摩擦力によって切れるのを防ぐことができる。
【発明の効果】
【００１５】
本発明によれば、複数のセット台が積層状に支持されているため、これらを一体的に昇降させることによって、縁材自動貼付機に用いられる縁材の交換作業が容易となる。また、セット台には縁材が巻き出し可能にセットされているため、縁材をセット台から取り替える必要がない。従って、縁材がくずれることはなく、縁材に傷が付くのを防ぐことができる。
【発明を実施するための最良の形態】
【００１６】
以下、図を参照して本発明を実施するための最良の形態を詳細に説明する。
図１は、本発明に係る縁材交換装置１を示すものである。この縁材交換装置１は、９つの縁材３ａ〜３ｉがそれぞれセットされた９つのセット台４ａ〜４ｉと、これらのセット台４ａ〜４ｉが積層状に、かつアーム５ａ〜５ｉを介して回転可能に支持された昇降可能なシャフト６と、これらのシャフト６が支持されたガイド部材７と、そのガイド部材７を固定する基台８とを備えている。
【００１７】
図１及び図２に示すように、セット台４ａ〜４ｉは、例えば合成樹脂から成形された円板であり、その中央にはセット台４ａ〜４ｉの上下面に突出した回転軸９を備えている。これらの回転軸９の下端は、シャフト６に旋回可能に支持されたアーム５ａ〜５ｉによって、回転可能に支持されている。また、回転軸９の上端には円板状の巻心部材１１が固定されており、これらの巻心部材１１の円周面には、多重に巻回された縁材３ａ〜３ｉが外嵌している。
【００１８】
なお、回転軸９の上端に固定された巻心部材１１は取り外しが可能であり、セットされる縁材３ａ〜３ｉの最小径部に係合するものを適宜用いる。
【００１９】
図１に示すように、シャフト６は上下方向に長尺な略円柱状の部材であり、セット台４ａ〜４ｉを支持する９つのアーム５ａ〜５ｉが旋回可能に支持されている。このシャフト６には、略同尺の支柱６ａが固定されており、これらは昇降手段１０によって、ガイド部材７に沿って昇降可能となっている。
【００２０】
昇降手段１０は、モータ１０ａと、ギヤボックス１０ｂと、ネジ１０ｃと、ナットを収納するナットボックス１０ｄとを備えている。モータ１０ａは、基台８に固定されているとともに、ギヤボックス１０ｂに連結されている。ギヤボックス１０ｂは、上下に長尺なネジ１０ｃと連結しており、その上下端部はガイド部材７に固定された第１板部７ａ及び第２板部７ｂに回転可能に支持されている。また、ネジ１０ｃには、支柱６ａに固定されたナットボックスに収納されたナットが螺合されている。従って、モータ１０ａが作動すると、その駆動力がギヤボックス１０ｂを介してネジ１０ｃに伝わり、ネジ１０ｃが回転する。このネジ１０ｃが回転することによってナットボックス１０ｄ及び支柱６ａが昇降し、それに伴ってシャフト６が昇降する。
【００２１】
図３は、昇降手段１０を制御する昇降制御手段を構成する操作ボックス１２を示したものである。この操作ボックス１２には、起動ボタン、全停止ボタンの他に、１〜９の数字が付された９つのボタンが設けられている。これらのボタンは、上から順に９つのセット台４ａ〜４ｉに対応しており、所望のセット台４ａ〜４ｉに対応する数字のボタンを押すと、所望のセット台４ａ〜４ｉを縁材自動貼付機２への供給高さに位置させるように、モータ１０ａが制御される。
【００２２】
次に、以上のように構成される縁材自動貼付機２の操作手順を詳細に説明する。
まず、９つの縁材３ａ〜３ｉをそれぞれセット台４ａ〜４ｉの巻心部材１１に外嵌し、縁材３ａ〜３ｉをセットする。これらのセット台４ａ〜４ｉの回転軸９には、固定される縁材３ａ〜３ｉの最小径部に係合可能な巻心部材１１を予め取り付けておく。
【００２３】
そして、縁材自動貼付機２によって面材に貼付される縁材を確認し、その縁材をセットしたセット台の位置を確認する。例えば、上から２番目に位置するセット台４ｂにセットされた縁材３ｂを供給する場合は、操作ボックス１２の２のボタンを押す。
【００２４】
２のボタンを押すとモータ１０ａが作動し始め、その駆動力を、ギヤボックス１０ｂを介してネジ１０ｃへと伝え、ネジ１０ｃが回転する。ネジ１０ｃが回転することによって、ネジ１０ｃに螺合されたナットを収納するナットボックス１０ｄは昇降し始め、ナットボックス１０ｄに固定されたシャフト６も昇降を始める。上から２番目のセット台４ｂが、縁材自動貼付機２の供給口高さに位置したとき、モータ１０ａは停止し、セット台４ｂも停止する。
【００２５】
そして、図１に示すように、セット台４ｂを、縁材自動貼付機２側に向けてシャフト６に対して旋回させ、その状態のまま縁材３ｂの端部を縁材自動貼付機２の供給口へ供給する。その後、縁材自動貼付機２を作動させ、面材に縁材３ｂを貼付していく。
【００２６】
縁材３ｂを面材に貼付し終えたら、縁材３ｂの端部を縁材自動貼付機２から取り外し、縁材３ｂに巻き付ける。その後、セット台４ｂを旋回させて、９つのセット台４ａ〜４ｉを再び積層状に並べ、次に供給する縁材がセットされたセット台を確認した後、操作ボックス１２のボタンを押す。
【００２７】
以上の実施例によれば、複数のセット台４ａ〜４ｉが積層状に支持されているため、これらを一体的に昇降させることによって、所望の縁材３ａ〜３ｉがセットされたセット台４ａ〜４ｉを所定の高さに合わせることができ、その縁材３ａ〜３ｉを縁材自動貼付機２へ供給することができる。よって、縁材自動貼付機２に用いられる縁材３ａ〜３ｉの交換作業が容易となる。また、セット台４ａ〜４ｉには縁材３ａ〜３ｉが巻き出し可能にセットされているため、縁材３ａ〜３ｉを、セット台４ａ〜４ｉにセットした状態のまま縁材自動貼付機２へと送り出すことができる。よって、複数のセット台４ａ〜４ｉにセットされた縁材３ａ〜３ｉを使用する限りは、縁材３ａ〜３ｉをセット台４ａ〜４ｉから取り替える必要がない。従って、縁材３ａ〜３ｉがほどけることはなく、縁材３ａ〜３ｉに傷が付くのを防ぐことができる。
【００２８】
また、複数のセット台４ａ〜４ｉは、上下に長尺なシャフト６によってそれぞれアーム５ａ〜５ｉを介して支持されており、これらのアーム５ａ〜５ｉがシャフト６に旋回可能に取り付けられているため、縁材自動貼付機の供給高さに合わせたセット台４ａ〜４ｉを縁材自動貼付機側へ旋回させることができる。よって、縁材自動貼付機２に用いる縁材３ａ〜３ｉの交換作業が容易になる。また、その際に、縁材３ａ〜３ｉの使用量を確認できる上、縁材３ａ〜３ｉを使い切った際の取り替え作業が容易にできる。
【００２９】
さらに、操作ボックス１２を備える昇降制御手段に制御されたモータ１０ａが作動すると、その駆動力がギヤボックス１０ｂを介してネジ１０ｃに伝わり、ネジ１０ｃに螺合されたナットが昇降する。従って、ナットを収納するナットボックス１０ｄが取り付けられたシャフト６を昇降させることができ、このシャフト６に支持された複数のセット台４ａ〜４ｉを選択的に縁材自動貼付機の供給高さに位置させることができる。
【００３０】
また、セット台４ａ〜４ｉが有する回転軸９は、アーム５ａ〜５ｉに対して回転可能に支持されているため、縁材３ａ〜３ｉが縁材自動貼付機２によって巻き出される際に、縁材３ａ〜３ｉとともにセット台４ａ〜４ｉも回転する。よって、縁材３ａ〜３ｉが、セット台４ａ〜４ｉとの当接面における摩擦力によって切れるのを防ぐことができる。
【図面の簡単な説明】
【００３１】
【図１】本発明を適用した縁材自動貼付機の構成を示す斜視図である。
【図２】セット台の断面図である。
【図３】操作ボックスの正面図である。
【符号の説明】
【００３２】
１  縁材交換装置
２  縁材自動貼付機
３ａ、３ｂ、３ｃ、３ｄ、３ｅ、３ｆ、３ｇ、３ｈ、３ｉ  縁材
４ａ、４ｂ、４ｃ、４ｄ、４ｅ、４ｆ、４ｇ、４ｈ、４ｉ  セット台
５ａ、５ｂ、５ｃ、５ｄ、５ｅ、５ｆ、５ｇ、５ｈ、５ｉ  アーム
６  シャフト
９  回転軸
１０  昇降手段
１０ａ  モータ
１０ｂ  ギヤボックス
１０ｃ  ネジ
１０ｄ  ナットボックス
１２  操作ボックス
【図１】
2006137091.tif 000003
【図２】
2006137091.tif 000004
【図３】
2006137091.tif 000005